(57)【要約】【課題】蒸発器を通過した冷媒の過熱度を好適に制御することができる空気調和装置を提供する。【解決手段】圧縮機１２と、互いに並列に接続されかつ圧縮機１２から吐出された冷媒をそれぞれ凝縮する複数の凝縮器１３，２２と、各凝縮器１３，２２で凝縮された冷媒をそれぞれ減圧する複数の膨張弁１４，２３と、各膨張弁１４，２３で減圧された後に合流された冷媒を蒸発させる蒸発器１５と、各膨張弁１４，２３を制御する制御装置３０とを備え、制御装置３０は、蒸発器１５を通過した後の冷媒の過熱度を所定の目標値にするための過熱度調節量を求める過熱度調節量演算部と、過熱度調節量に応じた蒸発器１５の冷媒循環量の調節量を求める循環量調節部３３と、冷媒循環量の調節量を各膨張弁１４，２３を流れる冷媒循環量の調節量に分配し、分配された各調節量に応じて複数の膨張弁１４，２３の開度をそれぞれ制御する循環量分配部とを備える。【選択図】図１
2019052821.tif 000002
【特許請求の範囲】
【請求項１】
圧縮機（１２）と、
互いに並列に接続され、かつ前記圧縮機（１２）から吐出された後に分流された冷媒をそれぞれ凝縮する複数の凝縮器（１３，２２）と、
前記各凝縮器（１３，２２）で凝縮された冷媒をそれぞれ減圧する複数の膨張弁（１４，２３）と、
前記各膨張弁（１４，２３）で減圧された後に合流された冷媒を蒸発させ、蒸発させた冷媒が前記圧縮機（１２）に吸入される蒸発器（１５）と、
前記各膨張弁（１４，２３）を制御する制御装置（３０）とを備えており、
前記制御装置（３０）は、
前記蒸発器（１５）を通過した後の冷媒の過熱度を所定の目標値にするための過熱度調節量を求める過熱度調節量演算部（３１）と、
前記過熱度調節量に応じた前記蒸発器（１５）の冷媒循環量の調節量を求める循環量調節部（３３）と、
前記冷媒循環量の調節量を、前記各膨張弁（１４，２３）を流れる冷媒循環量の調節量に分配し、分配された各調節量に応じて複数の前記膨張弁（１４，２３）の開度をそれぞれ制御する循環量分配部（３４）と、を備えている、空気調和装置。
【請求項２】
前記蒸発器（１５）は、冷媒との熱交換により室内空気を冷却・除湿するものであり、
前記凝縮器の一つが、室外空気と熱交換する室外凝縮器（１３）であり、
前記凝縮器の他の一つが、前記蒸発器（１５）で冷却・除湿された室内空気との熱交換により冷媒を凝縮させ、当該室内空気を加熱する室内凝縮器（２２）であり、
前記膨張弁の一つが、前記室外凝縮器（１３）で凝縮された冷媒を減圧する冷却膨張弁（１４）であり、
前記膨張弁の他の一つが、前記室内凝縮器（２２）で凝縮された冷媒を減圧する再熱膨張弁（２３）である、請求項１に記載の空気調和装置。
【請求項３】
前記制御装置（３０）は、
前記室内空気の温度を所定の目標値にするための前記室内凝縮器（２２）による加熱調節量を求める加熱調節量演算部（３２）を更に備え、
前記循環量分配部（３４）は、前記加熱調節量に基づいて前記冷却膨張弁（１４）を流れる冷媒循環量の調節量と前記再熱膨張弁（２３）を流れる冷媒循環量の調節量とを求める、請求項２に記載の空気調和装置。
【発明の詳細な説明】
【技術分野】
【０００１】
本発明は、再熱除湿運転が可能な空気調和装置に関する。
【背景技術】
【０００２】
従来、室内の温度低下を抑制しつつ除湿を行う再熱除湿運転が可能な空気調和装置が知られている（例えば、特許文献１及び２参照）。この空気調和装置は、圧縮機と、室外凝縮器と、冷却膨張弁と、蒸発器（冷却器）とがこの順で冷媒配管により接続されている。圧縮機から吐出された冷媒は、室外凝縮器で凝縮され、冷却膨張弁で減圧された後に、蒸発器において室内空気との間で熱交換することによって蒸発し、室内空気を冷却・除湿する。
【０００３】
また、この空気調和装置は、室外凝縮器と冷却膨張弁とをバイパスする再熱経路を備え、この再熱経路に、室内凝縮器（再熱器）と再熱膨張弁とが設けられている。圧縮機から吐出された冷媒は、室外凝縮器だけでなく室内凝縮器へも分岐して流れ、室内凝縮器において蒸発器を通過した室内空気との間で熱交換することによって凝縮された後、再熱膨張弁によって減圧され、冷却膨張弁からの冷媒と合流して蒸発器に流入する。室内凝縮器は、蒸発器において冷却・除湿された室内空気を加熱することによって、室内を所定の温度に維持している。
【先行技術文献】
【特許文献】
【０００４】
【特許文献１】特開２０１１−１３３１７１号公報
【特許文献２】特開平１−２２２１３７号公報
【発明の概要】
【発明が解決しようとする課題】
【０００５】
上記のような空気調和装置においては、通常、蒸発器を通過した冷媒に所定の過熱度が付与され、圧縮機が液状冷媒を吸引しないように構成されている。この過熱度は、冷却膨張弁の開度制御により蒸発器を流れる冷媒の流量を調整することによって所定値に調整される。一方、室内の温度は、再熱膨張弁の開度制御により室内凝縮器を流れる冷媒の流量を調整することによって目標温度に調整される。
【０００６】
しかしながら、再熱能力を高めるために再熱膨張弁の開度を大きくすると、室外凝縮器を経て蒸発器に流入する冷媒の流量に対して、室内凝縮器を経て蒸発器に流入する冷媒の流量が相対的に増大するため、冷却膨張弁の開度制御による過熱度の調整が困難になる。
【０００７】
本発明は、このような実情に鑑みてなされたものであり、蒸発器を通過した冷媒の過熱度を好適に制御することができる空気調和装置を提供することを目的とする。
【課題を解決するための手段】
【０００８】
（１）本発明の空気調和装置は、
圧縮機と、
互いに並列に接続され、かつ前記圧縮機から吐出された後に分流された冷媒をそれぞれ凝縮する複数の凝縮器と、
前記各凝縮器で凝縮された冷媒をそれぞれ減圧する複数の膨張弁と、
前記各膨張弁で減圧された後に合流された冷媒を蒸発させ、蒸発させた冷媒を前記圧縮機に吸入させる蒸発器と、
前記各膨張弁を制御する制御装置とを備えており、
前記制御装置は、
前記蒸発器を通過した後の冷媒の過熱度を所定の目標値にするための過熱度調節量を求める過熱度調節量演算部と、
前記過熱度調節量に応じた前記蒸発器の冷媒循環量の調節量を求める循環量調節部と、
前記冷媒循環量の調節量を、前記各膨張弁を流れる冷媒循環量の調節量に分配し、分配された各調節量に応じて複数の前記膨張弁の開度をそれぞれ制御する循環量分配部と、を備えている。
【０００９】
上記構成を有する空気調和装置は、蒸発器を通過した後の冷媒の過熱度を所定の目標値にするための過熱度調節量を求め、この過熱度調節量に応じた蒸発器の冷媒循環量の調節量を求め、この冷媒循環量の調節量を、各膨張弁を流れる冷媒循環量の調節量に分配し、各調節量に応じて複数の膨張弁の開度をそれぞれ制御しているので、複数の膨張弁のそれぞれの開度に関わらず、適切な過熱度を得るために必要な循環量の冷媒を蒸発器に流入させることができる。
【００１０】
（２）好ましくは、前記蒸発器が、冷媒との熱交換により室内空気を冷却・除湿するものであり、
前記凝縮器の一つが、室外空気と熱交換する室外凝縮器であり、
前記凝縮器の他の一つが、前記蒸発器で冷却・除湿された室内空気との熱交換により冷媒を凝縮させ、当該室内空気を加熱する室内凝縮器であり、
前記膨張弁の一つが、前記室外凝縮器で凝縮された冷媒を減圧する冷却膨張弁であり、
前記膨張弁の他の一つが、前記室内凝縮器で凝縮された冷媒を減圧する再熱膨張弁である。
この構成によれば、冷却膨張弁及び再熱膨張弁のそれぞれの開度に関わらず、蒸発器には適切な過熱度を得るために必要な循環量の冷媒を流入させることができる。
【００１１】
（３）好ましくは、前記制御装置が、
前記室内空気の温度を所定の目標値にするための前記室内凝縮器による加熱調節量を求める加熱調節量演算部を更に備え、
前記循環量分配部は、前記加熱調節量に基づいて前記冷却膨張弁を流れる冷媒循環量の調節量と前記再熱膨張弁を流れる冷媒循環量の調節量とを求める。
この構成によれば、室内凝縮器による室内空気の加熱調節量に基づいて、各膨張弁を流れる冷媒循環量の調節量が求められるので、蒸発器を通過した後の冷媒の過熱度を適切に調節しつつ、室内凝縮器による室内空気の加熱をも好適に行うことができる。
【発明の効果】
【００１２】
本発明によれば、蒸発器を通過した冷媒の過熱度を好適に制御することができる。
【図面の簡単な説明】
【００１３】
【図１】本発明の一実施の形態に係る空気調和装置を示す概略構成図である。
【図２】制御装置の機能を示すブロック図である。
【図３】空気調和装置の制御手順を示すフローチャートである。
【発明を実施するための形態】
【００１４】
以下、図面を参照して本発明の実施形態を説明する。
＜空気調和装置の全体構成＞
図１は、本発明の一実施の形態に係る空気調和装置を示す概略構成図である。
本実施形態の空気調和装置１は、例えば、食肉工場のように水分を多く含む食肉等の冷却対象が室内に頻繁に出入りするような環境で使用され、室内の温度を一定に維持しつつ除湿をも行う再熱除湿運転が可能な空気調和装置である。
【００１５】
空気調和装置１は、室外機（熱源ユニット）２と、室内機（利用ユニット）３とを備え、これら室外機２と室内機３とは冷媒連絡配管によって接続されている。また、空気調和装置１は、室外機２及び室内機３の動作を制御する制御装置３０を備えている。
【００１６】
室外機２は、例えば屋外に設置され、圧縮機１２と、室外凝縮器１３と、室外ファン１６と、冷媒圧力センサＳｃ２等を備えている。
室内機３は、例えば工場等の屋内に配置され、第１膨張弁１４と、蒸発器（冷却器）１５と、室内凝縮器（再熱器）２２と、第２膨張弁２３と、室内ファン１７と、空気温度センサＳａ１，Ｓａ２，Ｓａ３と、冷媒温度センサＳｂ１，Ｓｂ２，Ｓｂ３，Ｓｂ４，Ｓｂ５と、冷媒圧力センサＳｃ１等を備えている。
【００１７】
圧縮機１２、室外凝縮器１３、第１膨張弁１４、蒸発器１５は、この順で冷媒配管により接続されることで冷却回路１１を形成している。冷却回路１１は、専ら室内空気の温度及び湿度を低下させるために機能する。
また、本実施形態の空気調和装置１は、冷却回路１１における、圧縮機１２と室外凝縮器１３とを接続する経路１１ａから分岐し、第１膨張弁１４と蒸発器１５とを接続する経路１１ｂに接続される再熱経路２１を備えている。この再熱経路２１は、冷却回路１１における室外凝縮器１３と第１膨張弁１４とをバイパスしている。再熱経路２１には、室内凝縮器２２と第２膨張弁２３とが設けられている。したがって、室内凝縮器２２及び第２膨張弁２３は、室外凝縮器１３及び第１膨張弁１４と並列に設けられている。再熱経路２１は、冷却回路１１により冷却された室内空気の温度を上昇させるために機能する。
【００１８】
圧縮機１２は、例えば、インバータ制御等によって運転周波数（運転回転数）を調整可能なモータによって駆動される可変容量形のものが用いられる。圧縮機１２は、蒸発器１５から送られてきた低温・低圧のガス状冷媒を圧縮し、高温・高圧のガス状冷媒とする。なお、圧縮機１２は、固定容量形のものであってもよい。
【００１９】
室外凝縮器１３は、例えばクロスフィン式のフィンアンドチューブ型熱交換器やマイクロチャネル型熱交換器等が用いられる。室外凝縮器１３は、圧縮機１２から吐出されたガス状冷媒を室外空気と熱交換することによって凝縮させ、液状冷媒にする。室外空気は、室外ファン１６の駆動によって室外凝縮器１３に供給される。
【００２０】
第１膨張弁１４は、例えばパルスモータ駆動方式の電子膨張弁であり、開度を自在に調節可能である。第１膨張弁１４の開度は、制御装置３０によって制御される。第１膨張弁１４は、室外凝縮器１３によって凝縮された液状冷媒を減圧し、低温・低圧の気液二相冷媒にする。また、第１膨張弁１４は、開度が制御されることによって蒸発器１５を流れる冷媒の流量を調節し、蒸発器１５を通過した後の冷媒の過熱度を調節する。以下の説明においては、第１膨張弁１４を「冷却膨張弁」ともいう。
【００２１】
蒸発器１５は、室外凝縮器１３と同様に、例えばクロスフィン式のフィンアンドチューブ型熱交換器やマイクロチャネル型熱交換器等が用いられる。蒸発器１５は、冷却膨張弁１４を通過した低温低圧の気液二相冷媒を室内空気と熱交換することによって蒸発させ、ガス状冷媒にする。また、蒸発器１５は、冷媒との熱交換によって室内空気を冷却・除湿する冷却器として機能する。室内空気は、室内ファン１７の駆動によって蒸発器１５に供給される。
【００２２】
室内凝縮器２２は、室外凝縮器１３と同様に、例えばクロスフィン式のフィンアンドチューブ型熱交換器やマイクロチャネル型熱交換器等が採用される。室内凝縮器２２には、室内ファン１７の駆動によって蒸発器１５によって冷却・除湿された室内空気が供給される。また、室内凝縮器２２は、圧縮機１２から吐出されたガス状冷媒が、室外凝縮器１３へ流れる経路１１ａから分岐して流入し、このガス状冷媒を室内空気との間で熱交換することによって凝縮させる。これにより、蒸発器１５によって冷却・除湿された室内空気が湿度を低下させたまま加熱され、室内に吹き出される。したがって、室内凝縮器２２は、蒸発器１５によって冷却された室内空気を再び加熱する再熱器として機能する。
【００２３】
第２膨張弁２３は、冷却膨張弁１４と同様に、例えばパルスモータ駆動方式の電子膨張弁であり、開度を自在に調節可能である。第２膨張弁２３の開度は、制御装置３０によって制御される。第２膨張弁２３は、室内凝縮器２２によって凝縮された液状冷媒を減圧し、低温・低圧の気液二相冷媒にする。また、第２膨張弁２３は、開度が制御されることによって室内凝縮器２２を流れる冷媒の流量を調節し、室内空気の加熱量（再熱量）を調節する。以下、第２膨張弁２３を「再熱膨張弁」ともいう。
【００２４】
空気温度センサＳａ１，Ｓａ２，Ｓａ３は、室内機３に吸い込まれる空気の温度を検出する第１空気温度センサＳａ１と、室内機３から吹き出される空気の温度を検出する第２空気温度センサＳａ２と、蒸発器１５を通過し室内凝縮器２２に供給される前の空気の温度を検出する第３空気温度センサＳａ３とを含む。
【００２５】
冷媒温度センサＳｂ１，Ｓｂ２，Ｓｂ３，Ｓｂ４，Ｓｂ５は、蒸発器１５の出口における冷媒の温度を検出する第１冷媒温度センサＳｂ１と、蒸発器１５を流れている冷媒の温度を検出する第２冷媒温度センサＳｂ２と、室内凝縮器２２の出口（再熱膨張弁２３前）における冷媒の温度を検出する第３冷媒温度センサＳｂ３と、室内凝縮器２２の入口における冷媒の温度を検出する第４冷媒温度センサＳｂ４と、室内凝縮器２２を流れている冷媒の温度を検出する第５冷媒温度センサＳｂ５とを含む。
【００２６】
冷媒圧力センサＳｃ１，Ｓｃ２は、室内凝縮器２２の出口（再熱膨張弁２３前）における冷媒の圧力を検出する第１冷媒圧力センサＳｃ１と、圧縮機１２の吐出圧力を検出する第２冷媒圧力センサＳｃ２とを含む。
以上の各センサの検出信号は制御装置３０に入力され、制御装置３０による各種機器の制御に利用される。なお、空気調和装置１は、以上に説明した全てのセンサを備えている必要はなく、少なくとも後述する制御装置３０による制御に用いられる所定のセンサのみを備えていればよい。
【００２７】
制御装置３０は、室内機３に設けられた室内制御部や室外機２に設けられた室外制御部等により構成されている（いずれも図示せず）。制御装置３０は、マイクロコンピュータ、メモリ、通信インタフェース等により構成されており、室内機３及び室外機２に設けられた各種センサの信号が入力される。また、制御装置３０は、圧縮機１２、膨張弁１４，２３、ファン１６，１７等の動作を制御する。制御装置３０は、室内機３に接続されたリモートコントローラ等を介して、室内機３における吸込温度又は吹出温度の目標値（設定温度）の入力を受付可能である。
【００２８】
再熱除湿運転が可能な一般的な空気調和装置１は、冷却膨張弁１４の開度制御によって蒸発器１５における冷媒循環量を調節し、蒸発器１５を通過した後の過熱度を所定値に調節する。これにより、圧縮機１２には液状冷媒が流入せず、圧縮機１２が保護される。
一方、蒸発器１５には、冷却膨張弁１４を通過した冷媒だけでなく、再熱経路２１からの冷媒も流入する。再熱経路２１から流入する冷媒の循環量は、冷却膨張弁１４によって制御することはできないため、再熱経路２１からの冷媒循環量が増加すると冷却膨張弁１４による過熱度の調節が困難になる。
【００２９】
本実施形態の空気調和装置１は、上記のような不都合を解消するために、単に冷却膨張弁１４の開度制御によって蒸発器１５を通過した後の冷媒の過熱度を調節するのではなく、冷却膨張弁１４及び再熱膨張弁２３の双方の開度制御によって当該過熱度を調節するように制御装置３０が構成されている。
【００３０】
以下、この点について詳細に説明する。
図２は、制御装置３０の機能を示すブロック図である。
制御装置３０は、過熱度調節量演算部３１と、加熱調節量演算部３２と、循環量調節部３３と、循環量分配部３４としての機能を有している。
【００３１】
過熱度調節量演算部３１は、蒸発器１５を通過した冷媒の過熱度を所定の目標値に調節するための調節量を求める機能部である。
加熱調節量演算部３２は、室内凝縮器２２によって室内空気の温度を所定の目標値に調節するための加熱調節量を求める機能部である。
【００３２】
循環量調節部３３は、過熱度調節量演算部３１によって求められた調節量を実現するために必要な、蒸発器１５を流れる冷媒循環量の調節量を求める機能部である。
循環量分配部３４は、循環量調節部３３によって求められた冷媒循環量の調節量を、それぞれ冷却膨張弁１４を流れる冷媒循環量の調節量と再熱膨張弁２３を流れる冷媒循環量の調節量とに分配する量を求め、その量に応じて冷却膨張弁１４及び再熱膨張弁２３の開度を制御する機能部である。
【００３３】
なお、一般に、冷却膨張弁１４を流れる冷媒循環量（冷却系循環量）ＱＣは、次の式（１）で表すことができ、再熱膨張弁２３を流れる冷媒循環量（再熱系循環量）ＱＲは、次の式（２）で表すことができる。
ＱＣ＝ＣＶＣ・√ΔＰＣ／√ＧＣ  ・・・  （１）
ＱＲ＝ＣＶＲ・√ΔＰＲ／√ＧＲ  ・・・  （２）
【００３４】
ここで、ＣＶＣ及びＣＶＲは、冷却膨張弁１４及び再熱膨張弁２３の開度に対する流量係数、ΔＰｃは、室外凝縮器１３及び蒸発器１５における高低差圧、ΔＰＲは、室内凝縮器２２及び蒸発器１５における高低差圧、ＧＣ，ＧＲは、冷却系及び再熱系における高圧側の冷媒の比重比（水基準）である。式（１）及び（２）より、各循環量は、各膨張弁１４，２３の流量係数ＣＶＣ，ＣＶＲと差圧ΔＰＣ，ΔＰＲの平方根とに比例する。
【００３５】
図３は、空気調和装置の制御手順を示すフローチャートである。
以下、図２及び図３を参照して制御装置３０の各機能による冷却膨張弁１４及び再熱膨張弁２３の制御手順について説明する。
【００３６】
（過熱度調節量演算部３１の機能）
まず、図３のステップＳ１において、蒸発器１５の出口における冷媒の温度Ｔｃｏが第１冷媒温度センサＳｂ１により検出される。また、ステップＳ２において、蒸発器１５を流れている冷媒の温度Ｔｃｍが第２冷媒温度センサＳｂ２により検出される。この冷媒の温度Ｔｃｍは、蒸発器１５における蒸発温度に相当する。
【００３７】
次いで、ステップＳ３において、制御装置３０は、蒸発器１５を通過した後の冷媒の過熱度ＳＨを算出する。具体的には、次式（３）により過熱度ＳＨを算出する。
ＳＨ＝Ｔｃｏ−Ｔｃｍ  ・・・  （３）
【００３８】
そして、ステップＳ４において、制御装置３０は、次式（４）により、過熱度調節量として、現在の過熱度ＳＨと目標過熱度ＳＨｍのとの差分ΔＳＨを演算する。
ΔＳＨ＝ＳＨ−ＳＨｍ  ・・・  （４）
【００３９】
（循環量調節部３３の機能）
ステップＳ５において、制御装置３０は、冷却膨張弁１４と再熱膨張弁２３との双方を合わせた１つの「仮想膨張弁４０」（図１参照）を想定し、この仮想膨張弁４０を通過した冷媒が蒸発器１５に流入するものと仮定して、仮想膨張弁４０の開度に対する流量係数（ＣＶ値）の調節量ΔＣ＿Ｃｖを求める。上記式（１）及び（２）より、膨張弁の流量係数は、当該膨張弁を流れる冷媒循環量に相関しているので、仮想膨張弁４０の流量係数の調節量ΔＣ＿Ｃｖを蒸発器１５を流れる冷媒循環量の調節量と同等に扱うことができる。そのため、本実施形態では、蒸発器１５を流れる冷媒循環量の調節量として、仮想膨張弁４０の流量係数の調節量ΔＣ＿Ｃｖを用いている。
【００４０】
具体的に、制御装置３０は、次式（５）に示すように、ＰＩＤ制御等のフィードバック制御により、過熱度調節量ΔＳＨから、所望の過熱度に調節するための仮想膨張弁４０の流量係数の調節量ΔＣ＿Ｃｖを算出する。
ΔＣ＿Ｃｖ＝ＰＩＤ（ΔＳＨ）  ・・・  （５）
【００４１】
（加熱調節量演算部３２の機能）
次に、ステップＳ６において、空気温度センサＳａ１により室内機３への室内空気の吸込温度Ｔａが検知される。
そして、ステップＳ７において、制御装置３０は、次式（６）により、室内空気の温度を所定の目標値にするための、室内凝縮器２２による室内空気の加熱調節量として、現在の吸込温度Ｔａと、目標吸込温度Ｔａｍとの差分ΔＴａを演算する。
ΔＴａ＝Ｔａ−Ｔａｍ  ・・・  （６）
【００４２】
（循環量分配部３４の機能）
次に、制御装置３０は、ステップＳ８において、吸込温度Ｔａを所定の目標値に調節するための加熱調節量ΔＴａに基づき、再熱膨張弁２３の開度に対する流量係数の調節量ΔＲ＿Ｃｖを求める。この流量係数の調節量ΔＲ＿Ｃｖは、室内凝縮器２２を流れる冷媒循環量の調節量に相関する値であり（上記式（２）参照）、当該冷媒循環量の調節量と同等に扱うことができるため、本実施形態では、室内凝縮器２２の冷媒循環量の調節量として再熱膨張弁２３の流量係数の調節量Ｒ＿Ｃｖを用いている。
【００４３】
具体的には、制御装置３０は、次式（７）に示すように、ＰＩＤ制御等のフィードバック制御により、加熱調節量ΔＴａを用いて、所望の再熱量に調節するための再熱膨張弁２３の流量係数の調節量ΔＲ＿Ｃｖを算出する。
ΔＲ＿Ｃｖ＝ＰＩＤ（ΔＴａ）  ・・・  （７）
【００４４】
なお、ステップＳ８においては、吸込温度Ｔａとその目標値Ｔａｍとの差分ΔＴａを加熱調整量とし、この加熱調整量に基づいて再熱膨張弁２３の開度に対する流量係数の調節量ΔＲ＿Ｃｖを求めているが、第３冷媒温度センサＳｂ３により検出される室内凝縮器２２の出口の冷媒温度とその設定温度との差分や、第３冷媒温度センサＳｂ３により検出される室内凝縮器２２の出口の冷媒温度と第５冷媒温度センサＳｂ５により検出される室内凝縮器２２を流れる冷媒温度との差分、第４冷媒温度センサＳｂ４により検出される室内凝縮器２２の入口の冷媒温度と第３冷媒温度センサＳｂ３により検出される室内凝縮器２２の出口の冷媒温度との差分等から加熱調整量を求め、この加熱調整量に基づいて、ＰＩＤ制御等により調節量ΔＲ＿Ｃｖを求めることもできる。
【００４５】
次いで、ステップＳ９において、制御装置３０は、仮想膨張弁４０を流れる冷媒循環量の調節量を、再熱膨張弁２３の冷媒循環量の調節量と冷却膨張弁１４の冷媒循環量の調節量とに分配する処理を行う。具体的に、本実施形態では、次式（８）により、仮想膨張弁４０の流量係数の調節量ΔＣ＿Ｃｖから再熱膨張弁２３の流量係数の調節量ΔＲ＿Ｃｖを減算することによって冷却膨張弁１４の流量係数の調節量ΔＣ’＿Ｃｖを求める。
ΔＣ’＿Ｃｖ＝ΔＣ＿Ｃｖ−ΔＲ＿Ｃｖ  ・・・  （８）
【００４６】
なお、再熱膨張弁２３の冷媒循環量の調節量と冷却膨張弁１４の冷媒循環量の調節量との比率は、ΔＲ＿Ｃｖ：ΔＣ’＿Ｃｖ＝ΔＲ＿Ｃｖ：（ΔＣ＿Ｃｖ−ΔＲ＿Ｃｖ）となり、循環量分配部３４は、この比率を求めているとも言うことができる。
そして、ステップＳ１０において、制御装置３０は、次式（９）により、再熱膨張弁２３の開度の操作量（操作パルス数）ΔＲ＿Ｐｌｓを求める。
ΔＲ＿Ｐｌｓ＝ΔＲ＿Ｃｖ／Ｃｖｒ×Ｒ＿ｍａｘＰｌｓ  ・・・  （９）
ここで、Ｃｖｒは、再熱膨張弁２３の最大流量係数であり、Ｒ＿ｍａｘＰｌｓは、再熱膨張弁２３の最大開度におけるパルス数である。
【００４７】
同様に、ステップＳ１１において、制御装置３０は、次式（１０）により、冷却膨張弁１４の開度の操作量（操作パルス数）ΔＣ＿Ｐｌｓを求める。
ΔＣ＿Ｐｌｓ＝ΔＣ’＿Ｃｖ／Ｃｖｃ×Ｃ＿ｍａｘＰｌｓ  ・・・  （１０）
ここで、Ｃｖｃは、冷却膨張弁１４の最大流量係数であり、Ｃ＿ｍａｘＰｌｓは、冷却膨張弁１４の最大開度におけるパルス数である。
【００４８】
そして、ステップＳ１２において、制御装置３０は、求められた操作量ΔＣ＿Ｐｌｓ、ΔＲ＿Ｐｌｓで冷却膨張弁１４及び再熱膨張弁２３をそれぞれ操作する。
【００４９】
以上のように、本実施形態では、冷却膨張弁１４及び再熱膨張弁２３の双方の開度を制御することによって、蒸発器１５を通過した後の冷媒の過熱度を好適に調節することが可能となる。より具体的には、双方の膨張弁１４及び２３を合わせた１つの「仮想膨張弁４０」を想定し、この仮想膨張弁４０の開度を制御して蒸発器１５を流れる冷媒循環量を制御しているので、冷却膨張弁１４及び再熱膨張弁２３の個別の開度に関わらず、所望の過熱度に得るために必要な循環量の冷媒を蒸発器１５に流入させることができる。
【００５０】
また、本実施形態では、室内温度とその目標温度とから求められる加熱調整量に基づいて再熱膨張弁２３の流量係数の調節量ΔＲ＿Ｃｖを求め、当該調節量ΔＲ＿Ｃｖに基づいて室内凝縮器２２における冷媒循環量を調節しているので、蒸発器１５を通過した後の冷媒の過熱度を適切に調節しつつ、室内凝縮器２２における室内空気の加熱（再熱）をも好適に行うことが可能となる。
【００５１】
本発明は、上記実施形態及び変形例に限定されるものではなく、特許請求の範囲に記載された範囲内において種々変更することが可能である。
本発明は、圧縮機１２から吐出された冷媒を２又は３以上の複数系統に分岐させ、室外凝縮器１３及び室内凝縮器２２に限定されない複数の凝縮器に冷媒を流入させて凝縮し、各凝縮器で凝縮された冷媒を、冷却膨張弁１４及び再熱膨張弁２３に限定されない複数の膨張弁で減圧した後、合流させて蒸発器に流入させるものであってもよい。
【００５２】
また、本発明の空気調和装置は、食肉工場に限らず、あらゆる環境下で用いることができる。
【符号の説明】
【００５３】
１            ：空気調和装置
１２          ：圧縮機
１３          ：室外凝縮器
１４          ：冷却膨張弁
１５          ：蒸発器
２２          ：室内凝縮器
２３          ：再熱膨張弁
３０          ：制御装置
３１          ：過熱度調節量演算部
３２          ：加熱調節量演算部
３３          ：循環量調節部
３４          ：循環量分配部
【図１】
2019052821.tif 000003
【図２】
2019052821.tif 000004
【図３】
2019052821.tif 000005